(57)【特許請求の範囲】
【請求項１】
ドア枠の一方のたて枠上下部にドア支持具を取付け、その上下のドア支持具が、ドア枠に取付けられるＬ形の取付ブラケットと、その取付ブラケットの内面に衝合されて前後方向に位置調整自在に支持されたＬ形の調整枠とから成り、その取付ブラケットと調整枠の相互間に、調整枠を前後方向に位置調整する調整機構と、調整枠を前後方向に調整した位置において固定する固定手段とを設け、前記上部ドア支持具における調整枠のドア枠の上枠にほぼ平行する支持片に上下方向に向くピン孔を形成し、かつ、取付ブラケットの支持片にはそのピン孔と対応する位置に前後方向に長い長孔を設け、前記下部ドア支持具における調整枠のドア枠の下枠にほぼ平行する支持片には前記ピン孔と同一軸線上に支持ピンを設け、ドア枠の出入口を開閉するドアの吊元側の上部に前記ピン孔内に上部が挿入される支点ピンを設け、吊元側の下部には前記支持ピンに嵌合されるガイド筒を取付け、前記支点ピンを軸方向に移動自在に支持し、その支点ピンの上部をピン孔に挿入した状態で支点ピンを固定する固定手段を設けたドアの支持装置。
【請求項２】
前記下部のドア支持具における支持片をドア枠の下枠で支持し、前記ガイド筒には支持ピンの上端で支持される栓体を設けた請求項１に記載のドアの支持装置。
【請求項３】
前記栓体に支持ピンの上端面と点接触するボールを設けた請求項２に記載のドアの支持装置。
【発明の詳細な説明】
【０００１】
【発明の属する技術分野】
この発明は躯体に取付けられたドア枠の出入口を開閉するドアの支持装置に関するものである。
【０００２】
【従来の技術】
一対のヒンジ片をピンにより相対的に回動自在に連結したヒンジによってドアを開閉自在に支持することは従来から普通に行なわれている。
【０００３】
【発明が解決しようとする課題】
ところで、ヒンジを用いるドアの支持装置においては、ヒンジ片の一方をドア枠のたて枠、あるいはドアの吊元側の側面に取付け、上記ドアを吊り下げ支持する状態で他方のヒンジ片を前記たて枠あるいはドアの側面に取付ける必要があるため、ドアの取付けに非常に手間がかかると共に、少なくとも２人の作業者を必要とする不都合がある。
【０００４】
また、ドアの支持状態において、ドアの重量を複数のヒンジで均等に支持することは困難であり、重量を多く受けるヒンジの取付け部にがたつきが生じ易い。
【０００５】
特に、重いドアの場合には、ヒンジの取付け部にがたつきが生じ易く、また、ヒンジ片同士の接触部における摩擦抵抗も大きくなるため、ドアをスムーズに開閉させることが困難である。
【０００６】
この発明の課題は、１人の作業者によってドアを簡単に取付けることができるようにしたドアの支持装置を提供することである。
【０００７】
【課題を解決するための手段】
上記の課題を解決するために、この発明においては、ドア枠の一方のたて枠上下部にドア支持具を取付け、上部のドア支持具に設けられてドア枠の上枠にほぼ平行する支持片に上下方向に向くピン孔を形成し、下部のドア支持具に設けられてドア枠の下枠にほぼ平行する支持片には前記ピン孔と同一軸線上に支持ピンを設け、ドア枠の出入口を開閉するドアの吊元側の上部に前記ピン孔内に上部が挿入される支点ピンを設け、吊元側の下部には前記支持ピンに嵌合されるガイド筒を取付け、前記支点ピンを軸方向に移動自在に支持し、その支点ピンの上部をピン孔に挿入した状態で支点ピンを固定する固定手段を設けた構成を採用したのである。
【０００８】
上記のように構成すれば、支点ピンを下降させた状態において、ドアを吊り下げ支持し、そのドアを上部が手前に倒れる傾斜させた状態で下部のドア支持具に設けられた支持ピンにガイド筒を嵌合し、下部のドア支持具によりドアを支持する状態で、そのドアを垂直の姿勢として、支点ピンをピン孔に一致させてから支点ピンを上昇させて上部のドア支持具のピン孔に挿入し、固定手段によりその支点ピンを固定することによってドアの取付けが完了し、１人の作業者によってドアの取付けを行なうことができる。
【０００９】
ここで、前記下部のドア支持具における支持片をドア枠の下枠で支持し、前記ガイド筒には支持ピンの上端で支持される栓体を設けることにより、ドアの重量を下枠で支持することができるため、重いドアでも長期にわたって安定よく支持することができる。
【００１０】
この場合、前記栓体に支持ピンの上端面と点接触するボールを設けると、ドアの開閉による回転抵抗が小さく、重いドアでもスムーズに開閉することができる。
【００１１】
この発明に係るドアの支持装置において、上下のドア支持具を、ドア枠に取付けられるＬ形の取付ブラケットと、その取付ブラケットの内面に衝合されて前後方向に位置調整自在に支持されたＬ形の調整枠とで形成し、その取付ブラケットと調整枠の相互間に、調整枠を前後方向に位置調整する調整機構と、調整枠を前後方向に調整した位置において固定する固定手段とを設けておくと、調整枠の前後動によってドアの前後方向の傾きを調整することができる。
【００１２】
この場合、前記上部ドア支持具における調整枠の支持片に前記ピン孔を形成し、ブラケットの支持片にはそのピン孔と対応する位置に前後方向に長い長孔を設け、前記下部ドア支持具における調整枠の支持片に支持ピンを固定して、ドアの傾きを調整できるようにしておく。
【００１３】
【発明の実施の形態】
以下、この発明の実施の形態を図面に基づいて説明する。図１に示すように、躯体に取付けられるドア枠１は、一対のたて枠１ａの上下部間に上枠１ｂおよび下枠１ｃを設けた方形状をなし、その内側は出入口２とされ、ドア３によって開閉されるようになっている。
【００１４】
ドア枠１の一方のたて枠１ａの上下部にはドア支持具１０、２０が設けられている。上部のドア支持具１０は、図２乃至図４に示すように、取付ブラケット１１と、調整枠１２とから成り、取付ブラケット１１は取付片１１ａの上端に支持片１１ｂを設けたＬ形をなし、上記取付片１１ａがたて枠１ａに、支持片１１ｂが上枠１ｂにビス１３の締付けによって固定されている。
【００１５】
調整枠１２は、取付ブラケット１１の取付片１１ａの内面に衝合される板体１２ａの上側に支持片１１ｂの内面に沿う支持片１２ｂを設けたＬ形をなし、前記取付片１１ａの内面下部および支持片１１ｂの下面端部に形成されたガイド面１４に案内されて前後方向に位置調整可能とされている。
【００１６】
調整枠１２の板体１２ａには前後方向に長いビス挿入孔１５が形成され、そのビス挿入孔１５から取付片１１ａのねじ孔１６にねじ込まれるビス１７の締付けによって調整枠１２が取付ブラケット１１に固定される。
【００１７】
また、調整枠１２における支持片１２ｂの端部にはピン孔１８が形成され、一方、取付ブラケット１１の支持片１１ｂには上記ピン孔１８と対応する位置に前後方向に長い長孔１９が形成されている。
【００１８】
一方、下部のドア支持具２０は、図２、図３および図５に示すように、取付ブラケット２１と、調整枠２２とから成り、取付ブラケット２１は取付片２１ａの下端に支持片２１ｂを設けたＬ形をなし、上記取付片２１ａがたて枠１ａに、支持片２１ｂが下枠１ｃにビス２３の締付けによって固定されている。
【００１９】
調整枠２２は、取付ブラケット２１の取付片２１ａの内面に衝合される板体２２ａの下端に支持片２１ｂの上面に沿う支持片２２ｂを設けたＬ形をなし、前記取付片２１ａの内面上部および支持片２１ｂの上面端部に形成されたガイド面２４に案内されて前後方向に位置調整可能とされている。
【００２０】
調整枠２２の板体２２ａおよび支持片２２ｂには前後方向に長いビス挿入孔２５が形成され、各ビス挿入孔２５から取付ブラケット２１の取付片２１ａおよび支持片２１ｂのねじ孔２６にねじ込まれるビス２７の締付けによって調整枠２２が取付ブラケット２１に固定される。
【００２１】
また、調整枠２２の支持片２２ｂには支持ピン２８が設けられている。支持ピン２８は、上部ドア支持具１０のピン孔１８と同一軸線上に配置されている。
【００２２】
上下のドア支持具１０、２０の調整枠１２、２２は、調整機構３０によって前後方向に位置調整される。ここで、上部ドア支持具１０および下部ドア支持具２０に設けられた調整機構３０は同一であるため、ここでは、上部のドア支持具１０に設けられた調整機構３０について説明し、下部のドア支持具２０に設けられた調整機構３０については同一部品に同一の符号を付して説明を省略する。
【００２３】
上記調整機構３０は、図３および図４に示すように、取付ブラケット１１に形成された嵌合孔３１内に円盤３２を回転可能に設け、その円盤３２の中心に対する偏心位置に偏心ピン３３を設け、この偏心ピン３３を調整枠１２の板体１２ａに形成されたピン孔３４内に挿入し、上記偏心ピン３３の端面に形成された係合溝３５にドライバを係合して回転し、その偏心ピン３３の偏心回転によって調整枠１２を前後方向に移動させるようにしている。
【００２４】
図３に示すように、ドア３には吊元側の上下部にガイド筒４０、５０が同一軸線上に設けられている。各ガイド筒４０、５０は図４および図５に示すように、取付片４０ａ、５０ａを有し、その取付片４０ａ、５０ａがドア３の吊元側の側面に取付けられている。
【００２５】
図３に示すように、下部のガイド筒５０は下部ドア支持具２０の支持ピン２８に対して下端部が嵌合可能とされ、そのガイド筒５０内の上部に栓体５１がねじ係合されている。栓体５１の下端には前記支持ピン２８の上端面で支持されるボール５２が取付けられている。
【００２６】
上部のガイド筒４０内には支点ピン４１が挿入され、その支点ピン４１の上部が上部ドア支持具１０のピン孔１８に挿入されている。支点ピン４１は軸方向に移動自在とされ、下部には半径方向に貫通するビス挿入孔４２が形成されている。ビス挿入孔４２内には支点ピン４１をその上部がピン孔１８内に挿入された状態で固定する固定手段としての固定ビス４３が挿入されている。固定ビス４３は、ガイド筒４０の下部に設けられた窓４４から回動操作され、その固定ビス４３をガイド筒４０に形成されたねじ孔４５にねじ込んで締付けることにより支点ピン４１が固定される。
【００２７】
実施の形態で示すドアの支持装置は上記の構造から成り、ドア３の取付けに際しては、支点ピン４１を下降させた状態でそのドア３を吊り下げ支持し、上部が手前に倒れる傾斜状態において、下部のガイド筒５０を支持ピン２８に嵌合する。
【００２８】
図６は、支持ピン２８にガイド筒５０を嵌合した状態を示し、その嵌合後、ドア３の下端部が下部のドア支持具２０で支持される状態でドア３を垂直の姿勢に戻し、支点ピン４１の上端をピン孔１８に一致させた状態において、上記支点ピン４１を上方に移動させ、その支点ピン４１の上部をピン孔１８内に挿入したのち、固定ビス４３を締付けることによってドア３の取付けが完了し、ドア３の取付けを１人の作業者によって行なうことができる。
【００２９】
ドア３の取付け状態において、ドア３は下部のドア支持具２０の支持片２１ｂ、２２ｂで支持され、その支持片２１ｂ、２２ｂは下枠１ｃに支持されているため、ドア３の重量は下枠１ｃで受けられることになる。このため、下部のドア支持具２０の取付け部に大きな負荷がかかることがなく、重いドア３でもきわめて安定よく支持することができる。
【００３０】
また、ドア３の重量は、下部ガイド筒５０の栓体５１のボール５２と下部ドア支持具２０における支持ピン２８の上端の接触部に作用し、そのボール５２と支持ピン２８の接触が点接触であるため、ドア３の回転抵抗はきわめて小さく、ドア３をスムーズに開閉させることができる。
【００３１】
【発明の効果】
以上のように、この発明においては、ドアの下部に設けたガイド筒を下部ドア支持具に設けられた支持ピンに嵌合して下部ドア支持具でドアを支持し、その支持状態でドアをほぼ垂直の姿勢としたのち支点ピンを上昇させ、その支点ピンの上部を上部ドア支持具に形成されたピン孔に挿入して支点ピンを固定するようにしたので、１人の作業者によってドアを簡単に取付けることができる。
【００３２】
また、ドアを支持する下部ドア支持具の支持片を下枠で支持するようにしたので、重いドアでも安定した取付けを長期にわたって維持することができる。
【図面の簡単な説明】
【図１】この発明に係るドアの支持装置の実施形態を示す正面図
【図２】図１に示す支持装置のドアの吊元側の上下部を拡大して示す断面図
【図３】図２のIII −III 線に沿った断面図
【図４】図１に示すドアの上部を支持するドア支持具の分解斜視図
【図５】図１に示すドアの下部を支持するドア支持具の分解斜視図
【図６】ドアの取付け途中の状態を示す縦断側面図
【符号の説明】
１  ドア枠
１ａ  たて枠
１ｂ  上枠
１ｃ  下枠
３  ドア
１０  上部ドア支持具
１１  取付ブラケット
１１ｂ  支持片
１２  調整枠
１２ｂ  支持片
１８  ピン孔
１９  長孔
２０  下部ドア支持具
２１  取付ブラケット
２１ｂ  支持片
２２  調整枠
２２ｂ  支持片
２８  支持ピン
４１  支点ピン
４３  固定ビス
５０  ガイド筒
５１  栓体
５２  ボール
【図１】
0003850751.tif 000002
【図２】
0003850751.tif 000003
【図３】
0003850751.tif 000004
【図４】
0003850751.tif 000005
【図５】
0003850751.tif 000006
【図６】
0003850751.tif 000007